(57)【特許請求の範囲】
【請求項１】
インターネットアクセスモードを自動的に設定する処理方法であって、
ＰＰＰｏＥ（Point-to-Point  Protocol  over  Ethernet）要求メッセージ及びＤＨＣＰ（Dynamic  Host  Configuration  Protocol）要求メッセージを別個に送信するステップと、
前記ＤＨＣＰ要求メッセージに対応するＤＨＣＰ応答メッセージが設定時間内に先に受信された場合、前記インターネットアクセスモードはＤＨＣＰモードであると決定するステップと、
前記ＰＰＰｏＥ要求メッセージに対応するＰＰＰｏＥ応答メッセージが設定時間内に後で受信された場合、前記インターネットアクセスモードはＤＨＣＰモードからＰＰＰｏＥモードに切り替わると決定するステップと、
を有する方法。
【請求項２】
前記ＰＰＰｏＥ要求メッセージ及び前記ＤＨＣＰ要求メッセージを別個に送信するステップの後、前記方法は、
前記ＰＰＰｏＥ要求メッセージが前記設定時間内に先に受信された場合、インターネットアクセスモードがＰＰＰｏＥモードであると決定するステップ、
を更に有する請求項１に記載の方法。
【請求項３】
インターネットアクセスモードがＤＨＣＰモードからＰＰＰｏＥモードに切り替わると決定するステップの後に、前記方法は、
ＰＰＰｏＥモードでダイヤルアップを実行するステップと、
ＰＰＰｏＥモードでのダイヤルアップが失敗した後に、インターネットアクセスモードはＰＰＰｏＥモードからＤＨＣＰモードに戻ると決定するステップと、
を更に有する請求項１に記載の方法。
【請求項４】
前記ＰＰＰｏＥ要求メッセージ及び前記ＤＨＣＰ要求メッセージを別個に送信するステップの後に、前記方法は、
前記ＰＰＰｏＥ応答メッセージ及び前記ＤＨＣＰ応答メッセージが前記設定時間内に受信されない場合、インターネットアクセスモードの検出は失敗したと決定するステップ、
を更に有する請求項１乃至３のいずれか一項に記載の方法。
【請求項５】
前記ＰＰＰｏＥ要求メッセージ及び前記ＤＨＣＰ要求メッセージを別個に送信するステップは、
２の冪乗の時間間隔で、前記ＰＰＰｏＥ要求メッセージを間隔を開けて送信し、２の冪乗の時間間隔で、前記ＤＨＣＰ要求メッセージを間隔を開けて送信するステップ、を有する、請求項１乃至４のいずれか一項に記載の方法。
【請求項６】
処理装置であって、
ＰＰＰｏＥ要求メッセージ及びＤＨＣＰ要求メッセージを別個に送信し、ＤＨＣＰ要求メッセージに対応するＤＨＣＰ応答メッセージ及びＰＰＰｏＥ要求メッセージに対応するＰＰＰｏＥ応答メッセージを受信するよう構成される、送受信モジュールと、
前記送受信モジュールが前記ＤＨＣＰ要求メッセージに対応するＤＨＣＰ応答メッセージを設定時間内に先に受信した場合、インターネットアクセスモードはＤＨＣＰモードであると決定し、前記送受信モジュールが前記ＰＰＰｏＥ要求メッセージに対応するＰＰＰｏＥ応答メッセージを前記設定時間内に後に受信したと決定した場合、インターネットアクセスモードがＤＨＣＰモードからＰＰＰｏＥモードに切り替わると決定するよう構成される、処理モジュールと、
を有する装置。
【請求項７】
前記処理モジュールは、前記送受信モジュールがＰＰＰｏＥ応答メッセージを前記設定時間内に最初に受信した場合、インターネットアクセスモードはＰＰＰｏＥモードであると決定するよう更に構成される、請求項６に記載の装置。
【請求項８】
インターネットアクセスモードがＤＨＣＰモードからＰＰＰｏＥモードに切り替わると決定した後に、前記処理モジュールは、ＰＰＰｏＥモードでダイヤルアップを実行し、ＰＰＰｏＥモードでのダイヤルアップが失敗した後に、インターネットアクセスモードをＰＰＰｏＥモードからＤＨＣＰモードに戻すと決定するよう更に構成される、請求項６に記載の装置。
【請求項９】
前記処理モジュールは、前記送受信モジュールがＰＰＰｏＥ応答メッセージ又はＤＨＣＰ応答メッセージを前記設定時間内に受信しない場合、インターネットアクセスモードの検出が失敗したと決定するよう更に構成される、請求項６乃至８のいずれか一項に記載の装置。
【請求項１０】
前記送受信モジュールは、２の冪乗の時間間隔で、ＰＰＰｏＥ要求メッセージを間隔を開けて送信し、２の冪乗の時間間隔で、ＤＨＣＰ要求メッセージを間隔を開けて送信するよう更に構成される、請求項６乃至９のいずれか一項に記載の装置。
【発明の詳細な説明】
【技術分野】
【０００１】
本発明の実施形態は、通信技術に監視、特に、インターネットアクセスモードを自動的に設定する処理方法及び処理装置に関する。
【背景技術】
【０００２】
ＰＰＰｏＥ（Point-to-Point  Protocol  over  Ethernet（登録商標））は、ＰＰＰ（Point-to-PointProtocol）をEthernetフレームにカプセル化するネットワークトンネリングプロトコルである。端末は、ＰＰＰｏＥダイヤルアップによりインターネットにアクセスできる。
【０００３】
ＤＨＣＰ（Dynamic  Host  Configure  Protocol）は、ＩＰアドレスを端末に割り当て、該端末がアップストリームルータを用いることによりインターネットにアクセスできるようにする。
【０００４】
既存の種類の端末は、ＰＰＰｏＥモード又はＤＨＣＰモードでインターネットにアクセスし得る。自動検出中、端末は、ＰＰＰｏＥ要求メッセージ及びＤＨＣＰ要求メッセージを個別に送信し、これらの要求メッセージのうちの１つに対応する応答メッセージが先に受信されると、インターネットアクセスモードとしてモードを決定し、他のモードの検出を停止する。ＤＨＣＰサーバ及び端末が同じローカルエリアネットワーク内に置かれ、ＰＰＰｏＥサーバがオペレータにより構成されたネットワーク内に置かれるとき、ＤＨＣＰサーバは端末により近いので、端末はＤＨＣＰ応答メッセージを最初に受信する。この場合、端末は、インターネットアクセスモードはＤＨＣＰモードであると決定し、ＰＰＰｏＥモードの検出を停止する。しかしながら、ＤＨＣＰサーバがアップストリーム方向でインターネットに接続されない場合、端末は、インターネットにアクセスするためにＤＨＣＰモードを使用できず、ＰＰＰｏＥモードでインターネットにアクセスする。
【発明の概要】
【発明が解決しようとする課題】
【０００５】
したがって、従来、１つのモードの応答メッセージが受信された後に他のモードの検出を停止するので、不正確なモード検出をもたらし得る。
【課題を解決するための手段】
【０００６】
以上に鑑み、本発明の実施形態は、インターネットアクセスモードを自動的に設定する処理方法及び処理装置を提供し、モード検出の精度を向上するために使用される。
【０００７】
第１の態様によると、インターネットアクセスモードを自動的に設定する処理方法が提供され、当該方法は、ＰＰＰｏＥ（Point-to-Point  Protocol  over  Ethernet）要求メッセージ及びＤＨＣＰ（Dynamic  Host  Configuration  Protocol）要求メッセージを別個に送信するステップと、前記ＤＨＣＰ要求メッセージに対応するＤＨＣＰ応答メッセージが設定時間内に先に受信された場合、前記インターネットアクセスモードはＤＨＣＰモードであると決定するステップと、前記ＰＰＰｏＥ要求メッセージに対応するＰＰＰｏＥ応答メッセージが設定時間内に後で受信された場合、前記インターネットアクセスモードはＤＨＣＰモードからＰＰＰｏＥモードに切り替わると決定するステップと、を有する。
【０００８】
第１の態様によると、第１の態様の第１の可能な実装方法では、前記ＰＰＰｏＥ要求メッセージ及び前記ＤＨＣＰ要求メッセージを別個に送信するステップの後、前記方法は、前記ＰＰＰｏＥ要求メッセージが前記設定時間内に先に受信された場合、インターネットアクセスモードがＰＰＰｏＥモードであると決定し、前記ＤＨＣＰ要求メッセージを送信するのを停止するステップ、を更に有する。
【０００９】
第１の態様によると、第１の態様の第２の可能な実装方法では、インターネットアクセスモードがＤＨＣＰモードからＰＰＰｏＥモードに切り替わると決定するステップの後に、前記方法は、ＰＰＰｏＥモードでダイヤルアップを実行するステップと、ＰＰＰｏＥモードでのダイヤルアップが失敗した後に、インターネットアクセスモードはＰＰＰｏＥモードからＤＨＣＰモードに戻ると決定するステップと、を更に有する。
【００１０】
第１の態様又は第１の態様の第１若しくは第２の可能な実装によると、第１の態様の第３の可能な実装では、ＰＰＰｏＥ要求メッセージ及びＤＨＣＰ要求メッセージを別個に送信するステップの後に、前記方法は、前記ＰＰＰｏＥ要求メッセージ及び前記ＤＨＣＰ要求メッセージが前記設定時間内に受信されない場合、インターネットアクセスモードの検出は失敗したと決定するステップ、を更に有する。
【００１１】
第１の態様又は第１の態様の第１乃至第３の可能な実装のうちのいずれか１つによると、第１の態様の第４の可能な実装では、前記ＰＰＰｏＥ要求メッセージ及び前記ＤＨＣＰ要求メッセージを別個に送信するステップは、２の冪乗の時間間隔で、前記ＰＰＰｏＥ要求メッセージを間隔を開けて送信し、２の冪乗の時間間隔で、前記ＤＨＣＰ要求メッセージを間隔を開けて送信するステップ、を有する。
【００１２】
第２の態様によると、処理装置が提供され、当該処理装置は、ＰＰＰｏＥ要求メッセージ及びＤＨＣＰ要求メッセージを別個に送信し、ＤＨＣＰ要求メッセージに対応するＤＨＣＰ応答メッセージ及びＰＰＰｏＥ要求メッセージに対応するＰＰＰｏＥ応答メッセージを受信するよう構成される、送受信モジュールと、前記送受信モジュールが前記ＤＨＣＰ要求メッセージに対応するＤＨＣＰ応答メッセージを設定時間内に先に受信したと決定した場合、インターネットアクセスモードはＤＨＣＰモードであると決定し、前記送受信モジュールが前記ＰＰＰｏＥ要求メッセージに対応するＰＰＰｏＥ応答メッセージを設定時間内に後に受信したと決定した場合、インターネットアクセスモードがＤＨＣＰモードからＰＰＰｏＥモードに切り替わると決定するよう構成される、処理モジュールと、を有する。
【００１３】
第２の態様によると、第２の態様の１の可能な実装では、前記処理モジュールは、前記送受信モジュールがＰＰＰｏＥ応答メッセージを設定時間内に最初に受信したと決定した場合、インターネットアクセスモードはＰＰＰｏＥモードであると決定するよう更に構成される。
【００１４】
第２の態様によると、第２の態様の第２の可能な実装方法では、インターネットアクセスモードがＤＨＣＰモードからＰＰＰｏＥモードに切り替わると決定した後に、前記処理モジュールは、ＰＰＰｏＥモードでダイヤルアップを実行し、ＰＰＰｏＥモードでのダイヤルアップが失敗した後に、インターネットアクセスモードはＰＰＰｏＥモードからＤＨＣＰモードに戻ると決定するよう更に構成される。
【００１５】
第２の態様又は第２の態様の第１若しくは第２の可能な実装によると、第２の態様の第３の可能な実装では、前記処理モジュールは、送受信モジュールがＰＰＰｏＥ要求メッセージ又はＤＨＣＰ要求メッセージを設定時間内に受信していないと決定した場合、インターネットアクセスモードの決定が失敗したと決定するよう更に構成される。
【００１６】
第２の態様又は第２の態様の第１乃至第３の可能な実装のうちのいずれか１つによると、第２の態様の第４の可能な実装では、前記処理モジュールは、前記ＰＰＰｏＥ要求メッセージ及び前記ＤＨＣＰ要求メッセージを別個に送信するステップは、２の冪乗の時間間隔で、前記ＰＰＰｏＥ要求メッセージを間隔を開けて送信し、２の冪乗の時間間隔で、前記ＤＨＣＰ要求メッセージを間隔を開けて送信するよう更に構成される。
【００１７】
第４の技術的ソリューションによると、本発明の実施形態では、ＤＨＣＰ応答メッセージが受信された後に、ＰＰＰｏＥ要求メッセージの送信が停止されない。つまり、ＰＰＰｏＥ要求メッセージの送信は続けられる。また、ＰＰＰｏＥ応答メッセージが設定時間内に受信された後に、ＤＨＣＰモードはＰＰＰｏＥモードに切り替えられる。言い換えると、本発明の本実施形態では、ＤＨＣＰ応答メッセージが受信された後に、ＰＰＰｏＥモードの検出が停止されず、ＤＨＣＰモードがＰＰＰｏＥモードに切り替えられても良い。したがって、ＰＰＰｏＥモードの検出の優先が実現される。ＰＰＰｏＥモードでのインターネットアクセスはＤＨＣＰモードでのインターネットアクセスよりも成功する可能性が高いので、本発明の実施形態によるＰＰＰｏＥモードを優先的に検出するソリューションは、モード検出の不正確な決定を低減し、ネットワークサービスを利用できない可能性を低減し、そしてユーザ経験を向上させることができる。
【図面の簡単な説明】
【００１８】
本発明の実施形態の技術的解決策をより明確に記載するために、実施形態を説明するのに必要な添付の図面を以下に簡単に説明する。明らかなことに、以下の説明中の添付の図面は、本発明の一部の実施形態であり、これらの図面に従って当業者により創造的労力を有しないで他の図面も得られる。
【図１】本発明の一実施形態による端末がインターネットにアクセスするシステムの概略的構造図である。
【図２】本発明の実施形態によるインターネットアクセスモードを自動的に設定する処理方法の概略的フローチャートである。
【図３】本発明の実施形態によるインターネットアクセスモードを自動的に設定する別の処理方法の概略的フローチャートである。
【図４】本発明の実施形態によるインターネットアクセスモードを自動的に設定する処理装置の概略的構造図である。
【図５】本発明の実施形態によるインターネットアクセスモードを自動的に設定する別の処理装置の概略的構造図である。
【発明を実施するための形態】
【００１９】
本発明の目的、技術的解決策、及び利点を更に明確にするために、以下に、本発明の実施形態における技術的解決策を本発明の実施形態における添付の図面を参照して明確且つ完全に記載する。明らかに、記載される実施形態は、本発明の実施形態の一部であり、全ての実施形態ではない。本発明の実施形態に基づき創造的労力を有しないで当業者により得られる全ての他の実施形態は、本発明の保護範囲に包含される。
【００２０】
図１に示すように、端末１１はルータ１３のネットワークインタフェース＿２にアクセスし、ルータ１３のネットワークインタフェース＿１はインターネットにアクセスする。端末１１は、ＰＣ＿１及びＰＣ＿２にインターネットアクセスサービスを提供しても良い。端末１１は、モバイルブロードバンドインターネットカードのような固定ネットワーク内の装置であっても良い。または、端末１１は、移動電話のようなモバイルネットワーク内の装置であっても良い。
【００２１】
端末１１は、ＰＰＰｏＥモード又はＤＨＣＰモードを用いてインターネットにアクセスしても良い。このとき、端末１１は、ＰＰＰｏＥクライアント及びＤＨＣＰクライアントを備えられる。
【００２２】
ルータ１３は、ＤＨＣＰサーバの機能を統合する。
【００２３】
自動検出モードでは、端末１１のＰＰＰｏＥクライアント及びＤＨＣＰクライアント別個に且つ周期的に要求メッセージを送信し、特に、ＰＡＤＩ（PPPoE  Active  Discovery  Initiation）メッセージをＰＰＰｏＥサーバ１４へ、ディスカバリ（DHCP  discover）メッセージをＤＨＣＰサーバへ個別に送信し、対応する応答メッセージは、それぞれＰＡＤＯ（PPPoE  Active  Discovery  Offer）メッセージ及びＤＨＣＰオファー（DHCP  offer）メッセージである。例えば、ＰＰＰｏＥクライアントはＰＡＤＩメッセージをＰＰＰｏＥサーバへ送信し、ＰＰＰｏＥサーバがＰＡＤＩメッセージを受信した後に、ＰＰＰｏＥサーバがＰＰＰｏＥクライアントにＰＡＤＯメッセージで応答し、ＤＨＣＰクライアントがＤＨＣＰディスカバリメッセージをＤＨＣＰサーバへ送信し、ＤＨＣＰサーバがＤＨＣＰディスカバリメッセージを受信した後に、ＤＨＣＰサーバがＤＨＣＰクライアントにＤＨＣＰオファーメッセージで応答しても良い。
【００２４】
従来では、ＰＡＤＯメッセージが最初に受信されると、端末１１は、インターネットアクセスモードはＰＰＰｏＥモードであると決定し、ＤＨＣＰディスカバリメッセージの送信を停止し、ＤＨＣＰオファーメッセージが最初に受信されると、端末１１は、インターネットアクセスモードはＤＨＣＰモードであると決定し、ＰＡＤＩメッセージの送信を停止する。
【００２５】
インターネットアクセスモードがＤＨＣＰモードであると決定され、ＰＡＤＩメッセージの送信が停止されると、ルータ１３がアップストリーム方向でインターネットに接続されていない場合、ＰＰＰｏＥクライアントはＤＨＣＰモードで動作せず、端末１１はインターネットにアクセスできない。しかしながら、このとき、端末１１は、ＰＰＰｏＥクライアントを用いることにより、インターネットにアクセスしても良い。つまり、端末１１は、ＰＰＰｏＥモードでインターネットにアクセスしても良い。したがって、従来のインターネットアクセスモードがＤＨＣＰモードであるという決定は、モード検出の不正確な決定を生じる。モード検出の不正確な決定を低減するために、本発明は以下の実施形態を提供する。
【００２６】
図２は、本発明の実施形態によるインターネットアクセスモードを自動的に設定する処理方法の概略的フローチャートである。本実施形態のアプリケーションシナリオは次の通りであっても良い。端末１１は、ＤＨＣＰモード及びＰＰＰｏＥモードでインターネットにアクセスできる。端末１１は、自動設定方法で、インターネットアクセスモードはＤＨＣＰモード又はＰＰＰｏＥモードであると決定する。図２を参照すると、本実施形態は以下のステップを有する。
【００２７】
ステップ２１で、端末１１は、ＰＰＰｏＥ要求メッセージとＤＨＣＰ要求メッセージを別個に送信する。
【００２８】
端末１１は、ＰＰＰｏＥクライアント及びＤＨＣＰクライアントを有しても良い。ここで、ＰＰＰｏＥクライアントは、ＰＰＰｏＥ要求メッセージをＰＰＰｏＥサーバへ送信し、ＤＨＣＰクライアントは、ＤＨＣＰ要求メッセージをＤＨＣＰサーバへ送信しても良い。
【００２９】
ＰＰＰｏＥ要求メッセージは、具体的にはＰＡＤＩメッセージであっても良く、ＤＨＣＰ要求メッセージは、具体的にはＤＨＣＰディスカバリメッセージであっても良い。
【００３０】
ＰＰＰｏＥ要求メッセージ及びＤＨＣＰ要求メッセージは、間隔を開けて送信されても良い。例えば任意的に、２の指数乗の時間間隔でＰＰＰｏＥ要求メッセージは間隔を開けて送信され、２の指数乗の時間間隔でＤＨＣＰ要求メッセージは間隔を開けて送信される。
【００３１】
特に、ＰＰＰｏＥ要求メッセージ及びＤＨＣＰ要求メッセージは、同時に送信される。ＰＰＰｏＥ要求メッセージ及びＤＨＣＰ要求メッセージが同時に送信されるとき、ＰＰＰｏＥ要求メッセージ及びＤＨＣＰ要求メッセージを送信する時間間隔は、毎回、同じである。例えば、ＰＰＰｏＥ要求メッセージ及びＤＨＣＰ要求メッセージは最初に同時に送信され、１秒の時間間隔の後、２回目のＰＰＰｏＥ要求メッセージ及びＤＨＣＰ要求メッセージは同時に送信され、２秒の時間間隔の後、３回目のＰＰＰｏＥ要求メッセージ及びＤＨＣＰ要求メッセージは同時に送信される。代替で、ＰＰＰｏＥ要求メッセージ及びＤＨＣＰ要求メッセージが同時に送信されるとき、ＰＰＰｏＥ要求メッセージ及びＤＨＣＰ要求メッセージを送信する時間間隔は、異なる。例えば、ＰＰＰｏＥ要求メッセージ及びＤＨＣＰ要求メッセージは最初に同時に送信され、１秒の時間間隔の後、２回目のＰＰＰｏＥ要求メッセージが送信され、２秒の時間間隔の後、２回目のＤＨＣＰ要求メッセージが送信される。代替で、ＰＰＰｏＥ要求メッセージ及びＤＨＣＰ要求メッセージは、同時に送信されなくても良い。例えば、ＰＰＰｏＥ要求メッセージが最初に送信され次にＤＨＣＰ要求メッセージが送信され、又はＤＨＣＰ要求メッセージが最初に送信され次にＰＰＰｏＥ要求メッセージが送信され、そして次にＰＰＰｏＥ要求メッセージ及びＤＨＣＰ要求メッセージが個々の時間間隔で送信されても良い。
【００３２】
ステップ２２で、ＤＨＣＰ要求メッセージに対応するＤＨＣＰ応答メッセージが、設定時間内に先に受信された場合、端末１１は、インターネットアクセスアクセスモードがＤＨＣＰモードであると決定する。
【００３３】
ステップ２３で、ＰＰＰｏＥ要求メッセージに対応するＰＰＰｏＥ応答メッセージが、設定時間内に後で受信された場合、端末１１は、インターネットアクセスアクセスモードがＤＨＣＰモードからＰＰＰｏＥモードへ切り替わると決定する。
【００３４】
ステップ２２で述べたように、ＰＰＰｏＥ要求メッセージの送信は継続するので、後に受信される応答メッセージはＰＰＰｏＥ応答メッセージでも良い。つまり、ＤＨＣＰ応答メッセージが受信される。また、ＰＰＰｏＥ応答メッセージも後で受信され、この場合には、インターネットアクセスモードは、ＤＨＣＰモードからＰＰＰｏＥモードへ切り替わる。例えば、インターネットアクセスモードに対応するフィールド値が、ＤＨＣＰモードを示す値からＰＰＰｏＥモードを示す値に更新される。
【００３５】
ＤＨＣＰ応答メッセージは、ＤＨＣＰ要求メッセージを受信した後に、ＤＨＣＰサーバにより送信される応答メッセージであり、特に、前述のＤＨＣＰオファーメッセージであっても良い。
【００３６】
更に、ＰＰＰｏＥ応答メッセージは、ＰＰＰｏＥ要求メッセージを受信した後に、ＰＰＰｏＥサーバにより送信される応答メッセージであり、特に、前述のＰＡＤＯメッセージであっても良い。
【００３７】
端末１１は、１２０秒のような時間を設定しても良い。設定時間は、端末１１がＤＨＣＰ要求メッセージ及びＰＰＰｏＥ要求メッセージを送信した後に開始されても良い。例えば、端末１１は、ＰＰＰｏＥ要求メッセージ及びＤＨＣＰ要求メッセージを同時に送信し、次に１２０秒に設定されたタイマを開始しても良い。応答メッセージが設定時間内に最初に受信された後、端末１１は、応答メッセージがＤＨＣＰ応答メッセージかＰＰＰｏＥ応答メッセージかを決定しても良い。例えば、端末１１は、ＤＨＣＰ応答メッセージかＰＰＰｏＥ応答メッセージかを受信した応答メッセージのタイプフィールドに従って決定しても良い。
【００３８】
設定時間内に最初に受信した応答メッセージがＤＨＣＰ応答メッセージであると決定した後に、つまり、ＤＨＣＰ応答メッセージが設定時間内に最初に受信された後、端末１１は、インターネットアクセスモードはＤＨＣＰモードであると決定しても良い。例えば、インターネットアクセスモードに対応するフィールド値が、ＤＨＣＰモードを示す値に設定される。
【００３９】
ＤＨＣＰモードを決定した後に、端末１１は、ＰＰＰｏＥ要求メッセージを送信するのを停止しない。つまり、ステップ２１で、端末１１は、設定された時間間隔に従ってＰＰＰｏＥ要求メッセージを送信し続ける。
【００４０】
さらに、任意的に、方法は以下を更に有しても良い。
【００４１】
ＰＰＰｏＥ応答メッセージが設定時間内に最初に受信された場合、インターネットアクセスモードがＰＰＰｏＥモードであると決定し、ＤＨＣＰ要求メッセージを送信するのを停止するステップ。
【００４２】
代替で、任意的に、方法は以下を更に有しても良い。
【００４３】
ＰＰＰｏＥ応答メッセージ及びＤＨＣＰ応答メッセージが設定時間内に受信されない場合、インターネットアクセスモードの検出が失敗したと決定するステップ。
【００４４】
さらに、任意的に、方法は以下を更に有しても良い。
【００４５】
ＰＰＰｏＥモードでダイヤルアップを実行するステップ。
【００４６】
ＰＰＰｏＥモードでのダイヤルアップが失敗した後に、インターネットアクセスモードがＰＰＰｏＥモードからＤＨＣＰモードに戻ると決定するステップ。
【００４７】
ＤＨＣＰモードが決定された後にＰＰＰｏＥ要求メッセージの送信が停止される従来技術と違い、本発明の実施形態では、ＰＰＰｏＥ要求メッセージの送信が継続され、ＰＰＰｏＥモードの優先が達成される。
【００４８】
本実施形態では、ＤＨＣＰ応答メッセージが受信された後、ＰＰＰｏＥ要求メッセージの送信が継続され、ＰＰＰｏＥ応答メッセージが設定時間内に受信された後に、ＤＨＣＰモードはＰＰＰｏＥモードに切り替えられる。言い換えると、本発明の本実施形態では、ＤＨＣＰ応答メッセージが受信された後に、ＰＰＰｏＥモードの検出が停止されず、ＤＨＣＰモードがＰＰＰｏＥモードに切り替えられる。したがって、ＰＰＰｏＥモードの検出が優先される。ＰＰＰｏＥモードでのインターネットアクセスはＤＨＣＰモードでのインターネットアクセスよりも成功する可能性が高いので、本発明の実施形態によるＰＰＰｏＥモードを優先的に検出するソリューションは、モード検出の不正確な決定を低減し、ネットワークサービスを利用できない可能性を低減し、そしてユーザ経験を向上させることができる。
【００４９】
図３は、本発明の実施形態によるインターネットアクセスモードを自動的に設定する別の処理方法の概略的フローチャートである。本実施形態は、以下を有する。
【００５０】
ステップ３１で、端末１１は、ネットワークインタフェースに挿入され電源を入れられる。
【００５１】
例えば、端末１１は、ネットワークインタフェース＿２に挿入される。
【００５２】
ステップ３２で、端末１１内のＰＰＰｏＥクライアント及びＤＨＣＰクライアントが起動される。
【００５３】
例えば、ＰＰＰｏＥ処理及びＤＨＣＰ処理は、Ｌｉｎｕｘ（登録商標）プラットフォームを通じて起動されても良い。
【００５４】
ステップ３３で、ＰＰＰｏＥクライアントはＰＡＤＩメッセージを送信し、ＤＨＣＰクライアントはＤＨＣＰディスカバ−（discover）メッセージを送信する。
【００５５】
ＰＡＤＩメッセージはＰＰＰｏＥクライアントによりＰＰＰｏＥサーバへ送信されても良い。また、ＤＨＣＰディスカバ−メッセージはＤＨＣＰクライアントによりＤＨＣＰサーバへ送信されても良い。
【００５６】
例えば、ＰＰＰｏＥクライアントは、１秒、２秒、４秒、８秒のような２の冪乗の時間間隔で、ＰＡＤＩメッセージを送信しても良い。ＤＨＣＰクライアントは、１秒、２秒、４秒、８秒のような２の冪乗の時間間隔で、ＤＨＣＰディスカバ−メッセージを送信しても良い。また、ＰＡＤＩメッセージ及びＤＨＣＰメッセージを送信する開始時間は、同じでも異なっても良い。前述の異なる時間間隔に従って、ネットワークの負荷は低減され、ネットワークの輻輳が回避される。
【００５７】
ステップ３４で、端末１１は、設定時間内に最初にＰＡＤＯメッセージ又はＤＨＣＰオファー（offer）メッセージが受信されたかを決定し、ＰＡＤＯメッセージが最初に受信された場合、端末１１はステップ３５を実行し、ＤＨＣＰオファーメッセージが最初に受信された場合、端末１１はステップ３６を実行する。
【００５８】
ＰＡＤＯメッセージは、ＰＡＤＩメッセージに対応する応答メッセージである。また、ＤＨＣＰオファーメッセージは、ＤＨＣＰディスカバ−メッセージに対応する応答メッセージである。端末１１は、最初に受信した応答メッセージのタイプフィールドに従って、ＰＡＤＯメッセージ又はＤＨＣＰオファーメッセージが最初に受信されたかを決定しても良い。
【００５９】
ステップ３５で、端末１１は、ＤＨＣＰクライアントを停止し、インターネットアクセスモードはＰＰＰｏＥモードであると決定し、ＰＰＰｏＥ  ＡＤＳＬ（Asymmetrical  Digital  Subscriber  Loop）ダイヤルアップアクセスを実行する。
【００６０】
つまり、ＰＡＤＯメッセージが最初に受信された後、端末１１は、インターネットアクセスモードがＰＰＰｏＥモードであると決定する。
【００６１】
ステップ３６で、端末１１は、インターネットアクセスモードがＤＨＣＰモードであると決定し、ＤＨＣＰサーバにより割り当てられたＩＰアドレスを受信する。
【００６２】
ステップ３７で、端末１１のＰＰＰｏＥクライアントは、ＰＡＤＩメッセージを送信し続け、ＰＡＤＯメッセージが設定時間内に受信されたか否かを決定し、受信された場合には端末１１はステップ３８を実行し、その他の場合には端末１１はステップ３９を実行する。
【００６３】
例えば、設定時間は、１２０秒に設定されても良い。
【００６４】
ステップ３８で、端末１１は、インターネットアクセスモードをＤＨＣＰモードからＰＰＰｏＥモードへ切り替え、ＰＰＰｏＥ  ＡＤＳＬダイヤルアップアクセスを実行する。
【００６５】
ステップ３９で、端末１１は、最終的なモードはＤＨＣＰモードであると決定し、ＤＨＣＰモードでインターネットにアクセスする。
【００６６】
例えば、ＤＨＣＰモードで、端末１１は、ＤＨＣＰサーバを含むルータ１３との接続を確立しても良い。しかし、ＤＨＣＰサーバを含むルータ１３は、予めネットワーク側との接続を確立している。したがって、ＤＨＣＰサーバが端末１１にＩＰアドレスを割り当てた後、端末１１はインターネットにアクセスできる。
【００６７】
任意で、ステップ３４で、ＰＡＤＯメッセージとＤＨＣＰオファーメッセージのいずれも、１２０秒のような設定時間内に受信されない場合には、検出が失敗したと決定される。
【００６８】
任意で、ステップ３８で、端末１１がＰＰＰｏＥ  ＡＤＳＬダイヤルアップアクセスを実行した後、ダイヤルアップは成功又は失敗しても良い。ダイヤルアップが成功したとき、端末１１は、ＰＰＰｏＥモードでインターネットにアクセスしても良い。ダイヤルアップが失敗したとき、端末１１は、インターネットアクセスモードをＰＰＰｏＥモードからＤＨＣＰモードに戻し、ＤＨＣＰモードでインターネットにアクセスしても良い。理解されるべきことに、ＤＨＣＰモードでのインターネットアクセスも成功又は失敗し得ることである。ＤＨＣＰサーバがインターネット側のサーバ（ＰＰＰｏＥサーバであっても良く、別のサーバであっても良い）へのアクセスに成功した後に、端末は、ＤＨＣＰサーバを通じてインターネットにアクセスしても良い。その他の場合、ＤＨＣＰサーバがインターネット側のサーバにアクセスしない場合、端末は、ＤＨＣＰモードでインターネットにアクセスすることに失敗する。
【００６９】
本実施形態によると、ＤＨＣＰモードが決定された後に、ＰＰＰｏＥモードの検出が続けられる。したがって、モード検出の不正確な決定が低減され、ネットワークサービスの不可用性が低減され、ユーザ経験が向上される。時間は実際のシナリオに従って設定されても良い。例えば、実験環境では小さな値が設定されても良く、複雑なネットワーク環境では大きな値が設定されても良い。それにより、実際の要求に適合し、検出精度を向上する。
【００７０】
図４は、本発明の一実施形態によるインターネットアクセスモードを自動的に設定する処理装置の概略構造図である。ここで、該装置は、ＰＰＰｏＥモード又はＤＨＣＰモードでインターネットにアクセスできる端末であっても良い。端末４０は、送受信モジュール４１と、処理モジュール４２と、を有する。送受信モジュール４１は、ＰＰＰｏＥ要求メッセージ及びＤＨＣＰ要求メッセージを別個に送信し、ＤＨＣＰ要求メッセージに対応するＤＨＣＰ応答メッセージ及びＰＰＰｏＥ要求メッセージに対応するＰＰＰｏＥ応答メッセージを受信するよう構成される。処理モジュール４２は、送受信モジュール４１がＤＨＣＰ要求メッセージに対応するＤＨＣＰ応答メッセージを設定時間内に最初に受信したと決定した場合、インターネットアクセスモードがＤＨＣＰモードであると決定し、送受信モジュール４１がＰＰＰｏＥ要求メッセージに対応するＰＰＰｏＥ応答メッセージを設定時間内に後に受信したと決定した場合、インターネットアクセスモードがＤＨＣＰモードからＰＰＰｏＥモードに切り替わると決定するよう構成される。
【００７１】
任意的に、処理モジュール４２は、送受信モジュール４１がＰＰＰｏＥ応答メッセージを設定時間内に最初に受信したと決定した場合、インターネットアクセスモードはＰＰＰｏＥモードであると決定し、送受信モジュール４１がＤＨＣＰ要求メッセージを送信するのを停止するよう制御するよう更に構成される。
【００７２】
任意的に、インターネットアクセスモードがＤＨＣＰモードからＰＰＰｏＥモードに切り替わると決定した後に、処理モジュール４２は、ＰＰＰｏＥモードでダイヤルアップを実行し、ＰＰＰｏＥモードでのダイヤルアップが失敗した後に、インターネットアクセスモードをＰＰＰｏＥモードからＤＨＣＰモードに戻すと決定するよう更に構成される。
【００７３】
任意的に、処理モジュール４２は、送受信モジュール４１がＰＰＰｏＥ応答メッセージ又はＤＨＣＰ応答メッセージを設定時間内に受信しないと決定した場合、インターネットアクセスモードの検出が失敗したと決定するよう更に構成される。
【００７４】
任意的に、送受信モジュールは、２の冪乗の時間間隔で、ＰＰＰｏＥ要求メッセージを間隔を開けて送信し、２の冪乗の時間間隔で、ＤＨＣＰ要求メッセージを間隔を開けて送信するよう特に構成される。
【００７５】
図５に示すように、本発明の実施形態により提供される別の装置は、ＰＰＰｏＥモード及びＤＨＣＰモードを有する端末であっても良い。端末５０は、通信機５１とプロセッサ５２とを有する。通信機５１は、ＰＰＰｏＥ要求メッセージ及びＤＨＣＰ要求メッセージを別個に送信し、ＤＨＣＰ要求メッセージに対応するＤＨＣＰ応答メッセージ及びＰＰＰｏＥ要求メッセージに対応するＰＰＰｏＥ応答メッセージを受信するよう構成される。プロセッサ５２は、通信機５１がＤＨＣＰ要求メッセージに対応するＤＨＣＰ応答メッセージを設定時間内に最初に受信したと決定した場合、インターネットアクセスモードがＤＨＣＰモードであると決定し、通信機５１がＰＰＰｏＥ要求メッセージに対応するＰＰＰｏＥ応答メッセージを設定時間内に後に受信したと決定した場合、インターネットアクセスモードがＤＨＣＰモードからＰＰＰｏＥモードに切り替わると決定するよう特に構成される。
【００７６】
任意的に、プロセッサ５２は、通信機５１がＰＰＰｏＥ応答メッセージを設定時間内に最初に受信したと決定した場合、インターネットアクセスモードはＰＰＰｏＥモードであると決定し、通信機５１がＤＨＣＰ要求メッセージを送信するのを停止するよう制御するよう更に構成される。
【００７７】
任意的に、インターネットアクセスモードがＤＨＣＰモードからＰＰＰｏＥモードに切り替わると決定した後に、プロセッサ５２は、ＰＰＰｏＥモードでダイヤルアップを実行し、ＰＰＰｏＥモードでのダイヤルアップが失敗した後に、インターネットアクセスモードをＰＰＰｏＥモードからＤＨＣＰモードに戻すと決定するよう更に構成される。
【００７８】
任意的に、プロセッサ５２は、通信機５１がＰＰＰｏＥ応答メッセージ又はＤＨＣＰ応答メッセージを設定時間内に受信しないと決定した場合、インターネットアクセスモードの検出が失敗したと決定するよう更に構成される。
【００７９】
任意的に、通信機５１は、２の冪乗の時間間隔で、ＰＰＰｏＥ要求メッセージを間隔を開けて送信し、２の冪乗の時間間隔で、ＤＨＣＰ要求メッセージを間隔を開けて送信するよう特に構成される。
【００８０】
前述のプロセッサは、ＣＰＵ（central  processing  unit）、マイクロプロセッサ、シングルチップマイクロコンピュータ等であっても良い。更に、装置は、メモリ、入力／出力装置、タイマ等を更に有しても良い。
【００８１】
本実施形態では、ＤＨＣＰ応答メッセージが受信された後、ＰＰＰｏＥ要求メッセージの送信が継続され、ＰＰＰｏＥ応答メッセージが設定時間内に受信された後に、ＤＨＣＰモードはＰＰＰｏＥモードに切り替えられる。言い換えると、本発明の本実施形態では、ＤＨＣＰ応答メッセージが受信された後に、ＰＰＰｏＥモードの検出が停止されず、ＤＨＣＰモードがＰＰＰｏＥモードに切り替えられる。したがって、ＰＰＰｏＥモードの検出の優先が実現される。ＰＰＰｏＥモードでのインターネットアクセスはＤＨＣＰモードでのインターネットアクセスよりも成功する可能性が高いので、本発明の実施形態によるＰＰＰｏＥモードを優先的に検出するソリューションは、モード検出の不正確な決定を低減し、ネットワークサービスを利用できない可能性を低減し、そしてユーザ経験を向上させることができる。
【００８２】
便宜上及び簡便な説明のために、機能モジュールの分割のみが説明のための例として用いられたことが、当業者に明らかである。実際の用途では、機能は、完成のために要件に従って異なる機能モジュールに割り当てられても良い。つまり、装置の内部構造は、前述の機能の全部又は一部を完成させるために異なる機能モジュールに分割されても良い。前述のシステム、装置及びユニットの詳細な動作過程では、前述の方法の実施形態の対応する処理が参照され、詳細事項は繰り返し記載されない。
【００８３】
本願により提供される幾つかの実施形態では、理解されるべきことに、開示のシステム、装置及び方法は他の方法で実装されても良い。例えば、記載した装置の実施形態は単なる例である。例えば、モジュール又はユニットの分割は、単なる論理的機能の区分であり、実際の実装では他の区分であっても良い。例えば、複数のユニット又はコンポーネントは、別のシステムに結合又は統合されても良い。或いは、幾つかの機能は無視されるか又は実行されなくても良い。さらに、表示した又は議論した相互結合又は直接結合又は通信接続は、幾つかのインタフェースを通じて実装されても良い。装置又はユニット間の間接結合又は通信接続は、電子的、機械的又は他の形式で実装されても良い。
【００８４】
別個の部分として記載されたユニットは、物理的に別個であってもそうでなくても良い。また、ユニットとして表示された部分は、物理的なユニットであってもそうでなくても良く、１カ所に置かれても良く或いは複数のネットワークユニットに分散されても良い。一部又は全部のユニットは、実施形態のソリューションの目的を達成するために実際の必要に応じて選択されても良い。
【００８５】
さらに、本願の実施形態における機能ユニットは、１つの処理ユニットに統合されても良く、或いは各ユニットが物理的に単独で存在しても良く、或いは２以上のユニットが１つのユニットに統合されても良い。統合ユニットは、ハードウェアの形式で実装されても良く、ソフトウェア機能ユニットの形式で実装されても良い。
【００８６】
統合ユニットがソフトウェア機能ユニットの形式で実装され、独立した製品として販売され又は使用されるとき、統合ユニットは、コンピュータ可読記憶媒体に格納されても良い。このような理解に基づき、本願の基本的技術的ソリューション、又は従来技術に貢献する部分、又は全部又は一部の技術的ソリューションは、ソフトウェア製品の形式で実施されても良い。コンピュータソフトウェア製品は、記憶媒体に格納され、コンピュータ装置（パーソナルコンピュータ、サーバ、ネットワーク装置、等であっても良い）又はプロセッサに、本願の実施形態で記載された方法のステップの全部又は一部を実行するよう指示する複数の命令を有する。前述の記憶媒体は、ＵＳＢフラッシュディスク、取り外し可能ハードディスク、読み出し専用メモリ（Read-Only  Memory：ROM）、ランダムアクセスメモリ（Random  Access  Memory：RAM）、磁気ディスク又は光ディスクのような、プログラムコードを格納可能な任意の媒体を有する。
【００８７】
前述の実施形態は、本願を限定するのではなく、単に本願の技術的ソリューションを説明することを目的とする。本願は、前述の実施形態を参照して詳細に説明されたが、当業者は、本発明の実施形態の技術的ソリューションの精神及び範囲から逸脱することなく、彼らが前述の実施形態で説明した技術的ソリューションに変更を行い、又はそれら実施形態の幾つかの技術的特徴を等価に代替できることを理解する。
【００８８】
［関連出願］
本願は、中国特許出願番号CN２０１３１００３３２４６.４、２０１３年１月２９日出願、名称「PROCESSING  METHOD  AND  PROCESSING  DEVICE  FOR  AUTOMATICALLY  SETTING  INTERNET  ACCESS  MODE」の優先権を主張する。該中国特許出願は、参照されることにより全体が本願明細書に組み込まれる。
【符号の説明】
【００８９】
１１  端末（ＰＰＰｏＥクライアント＋ＤＨＣＰクライアント）
１３  ルータ（ＤＨＣＰサーバ）
１４  ＰＰＰｏＥサーバ
４１  送受信モジュール
４２  処理モジュール
５１  通信機
５２  プロセッサ
【図１】
0005813891.tif 000002
【図２】
0005813891.tif 000003
【図３】
0005813891.tif 000004
【図４】
0005813891.tif 000005
【図５】
0005813891.tif 000006